(57)【要約】【課題】狭い範囲で操作が可能であり、誤操作の可能性も少ない電子機器のスイッチ装置を提供する。【解決手段】本スイッチ装置１は、例えば、電子機器の電源スイッチとして適用が可能であって、第一操作釦５とその外周部に摺動自在に嵌入する第二操作釦６とを有しており、それらの操作釦のキートップは、第二操作釦６側が僅かに高い位置にある。該スイッチ装置１の第一，二操作釦を指で押圧操作した場合、まず、第二操作釦６によって第二スイッチ１２が先にオンとなり、続いて、第一操作釦５が押圧されて第一スイッチ１１がオンとなる。電子機器の制御部は、第二スイッチ１２のオンを検出して電源オンの準備処理を行い、第一スイッチ１１のオンを検出したときに電源オン処理を実行する。【選択図】図１
2005332780.tif 000002
【特許請求の範囲】
【請求項１】
押圧操作により第１の所定量を移動すると第１のスイッチをオンする第１の操作釦と、
上記第１の操作釦の近傍にあり、キートップ上面が第１の操作釦のキートップ上面より上方にあって、押圧操作により第２の所定量を移動すると、上記第１の操作釦による上記第１のスイッチのオン前に第２のスイッチをオンする第２の操作釦と、
を有することを特徴とする電子機器のスイッチ装置。
【請求項２】
上記第１の操作釦は、電子機器の電源スイッチのための操作釦であることを特徴とする請求項１記載の電子機器のスイッチ装置。
【請求項３】
上記第１のスイッチは、上記第２のスイッチがオンされた後にオンの受付を可能とされることを特徴とする請求項１記載の電子機器のスイッチ装置。
【請求項４】
上記第２の操作釦は、上記第１の操作釦の周囲に配置されていることを特徴とする請求項１記載の電子機器のスイッチ装置。
【発明の詳細な説明】
【技術分野】
【０００１】
本発明は、電子機器に組み込まれるスイッチ装置に関する。
【背景技術】
【０００２】
特許文献１に開示されたカメラのメインスイッチ装置は、カメラ外装の異なる面上に配置される２つの操作部材（釦）と該操作部材によりそれぞれオンされる２つのスイッチとを有してなり、該メインスイッチ装置においては、上記２つの操作部材を同時に操作して上記２つのスイッチを共にオン状態にしたとき、カメラの電源をオンとするように制御される。このメインスイッチ装置によれば、誤操作によって電源がオンされることが防止され、電力の無駄な消費が防止でき、また、不用意に電源がオンとなって記録済みのデータが消失されてしまうなどを防止できる。
【特許文献１】特許文献１は、特開２００３−２２２９４３号公報である。
【発明の開示】
【発明が解決しようとする課題】
【０００３】
しかし、上述した特許文献１記載のメインスイッチ装置においては、上記２つの操作部材が異なる位置に配置される。例えば、凸部の両側面部に配される。従って、１つの指で操作することが困難であり、また、該装置の占有エリアが大きくなり、カメラの小型化に対して好適なものとは言い切れない。
【０００４】
本発明は、上述の問題を解決するためになされたものであり、狭い範囲内での操作が可能であり、誤操作の可能性も少ない電子機器のスイッチ装置を提供する。
【０００５】
を提供することを目的とする。
【課題を解決するための手段】
【０００６】
本発明の請求項１記載の電子機器のスイッチ装置は、押圧操作により第１の所定量を移動すると第１のスイッチをオンする第１の操作釦と、上記第１の操作釦の近傍にあり、キートップ上面が第１の操作釦のキートップ上面より上方にあって、押圧操作により上記第２の所定量を移動すると、上記第１の操作釦による上記第１のスイッチのオン前に第２のスイッチをオンする第２の操作釦とを有する。
【０００７】
本発明の請求項２記載の電子機器のスイッチ装置は、請求項１記載の電子機器のスイッチ装置において、上記第１の操作釦は、電子機器の電源スイッチ釦である。
【０００８】
本発明の請求項３記載の電子機器のスイッチ装置は、請求項１記載の電子機器のスイッチ装置において、上記第１のスイッチは、上記第２のスイッチがオンされた後にオンの受付を可能とされる。
【０００９】
本発明の請求項４記載の電子機器のスイッチ装置は、請求項１記載の電子機器のスイッチ装置において、上記第２の操作釦は、上記第１の操作釦の周囲に配置されている。
【発明の効果】
【００１０】
本発明によれば、２つのスイッチを操作する操作釦を近接させて配置し、狭い範囲内での操作が可能であり、誤操作の可能性も少ない電子機器のスイッチ装置を提供することができる。
【発明を実施するための最良の形態】
【００１１】
以下、図を用いて本発明の実施形態について説明する。  
図１は、本発明の第一の実施形態である電子機器のスイッチ装置の縦断面図（図２のＢ−Ｂ断面）であって、操作釦解放状態を示す。図２は、図１のＡ矢視図である。図３〜５は、上記スイッチ装置の操作釦の各押圧状態における縦断面図（図２のＢ−Ｂ断面）である。
【００１２】
本実施形態のスイッチ装置１は、電子機器に組み込まれるスイッチ装置であって、例えば、カメラ等の電源オンオフ用スイッチ、あるいは、モード切換用スイッチ等にも適用可能である。図１に示すようにスイッチ装置１は、電子機器の外装カバー２と、外装カバー２の内側に配される電子機器本体取り付け台３と、取り付け台３の下方に配置されるスイッチ基板４と、取り付け台３の穴部３ａに摺動自在に支持される第一操作釦５と、第一操作釦５の外周部であって、かつ、外装カバー２の開口部２ａに摺動自在に支持される第二操作釦６と、第一の操作釦５によってオン操作され、スイッチ基板４に実装される第一スイッチ１１と、第二の操作釦６によってオン操作され、取り付け台３と第二操作釦６とに取り付けされる第二スイッチ１２と、取り付け台３に接着して固着され、第一操作釦５を上方に付勢し、保持するゴムシート７と、第二操作釦６を上方に付勢するコイルバネからなる付勢バネ８とを有してなる。
【００１３】
第一スイッチ１１は、ドーム型クリックスイッチであってスイッチ基板４に実装される。
【００１４】
第二スイッチ１２は、取り付け台３に支持される接片部１２ａと、第二操作釦６の下面に固着され、該接片部と接触可能な接点１２ｂとからなる。但し、この接片１２ｂは、取り付け台３とは、絶縁処理されている。この第二スイッチ１２は、図２の例では、一箇所設けられているが、周方向３箇所に配置してもよい。このように３箇所に配置することによって第二操作釦６が押圧操作時に傾斜したとしてもより確実にオンさせることができる。
【００１５】
第一操作釦５は、キートップ５ａと、フランジ部５ｂと、突起部５ｃとを有している。キートップ５ａは、取り付け台３の穴部３ａと第二操作釦６の内周部６ｃを挿通して支持されている。そして、第一操作釦５は、フランジ部５ｂでゴムシート７の弾性変形部７ａの付勢力によって上方に付勢されており、上方の釦解放位置（無操作時の位置）にあるときは、フランジ部５ｂが取り付け台３の穴部３ａの下方内面に当接し、キートップ５ａの上面は、外装カバー２の表面より外方の面Ｌ0 上の位置にある。
【００１６】
突起部５ｃは、ゴムシート７の挿通穴７ｂを挿通して下方のスイッチ基板４上の第一スイッチ１１側に突出している。第１操作釦５が解放位置にあるときは、第一スイッチ１１と対向して離間しているが、第一操作釦５が押圧操作された場合、突起部５ｃにより第一スイッチ１１を押圧してオン状態とする。
【００１７】
第二操作釦６は、円環状のキートップ６ａと、フランジ部６ｂとを有している。キートップ６ａは、外装カバー２の径Ｄ0 の開口部２ａの内周に摺動自在に嵌入する。キートップ６ａの内周部６ｃには、第一操作釦５の外周が摺動自在に嵌入している。キートップ６ａの上面は、釦解放状態では面Ｌ0 位置よりも所定量だけ上方に位置する。第二操作釦６が嵌入される径Ｄ0 は、使用者の指１９の腹部で覆われる程度の寸法とする。従って、指１９によって第二操作釦６および第一操作釦５のキートップが押圧操作が可能である。
【００１８】
フランジ部６ｂの下面側には、付勢バネ８が当接しており、第二操作釦６を上方に付勢している。また、フランジ部６ｂの下面側外方には、第二スイッチ１２の接点部１２ｂが固着されている。第二操作釦６が押圧操作された場合、接点部１２ｂが取り付け台３側の接片部１２ａと接触し、第二スイッチ１２がオン状態となる。
【００１９】
上述した構成を有するスイッチ装置１の押圧操作時の動作について、図１の釦解放状態と図３〜５の釦押圧状態の断面図を用いて説明する。  
図１の第一，二操作釦の解放状態から使用者の指１９によってスイッチ装置１を押圧すると、まず、最も突出した位置にある第二操作釦６が押圧される。第二操作釦６のキートップ６ａが面Ｌ0 より僅かに手前に到達したとき、接片部１２ａが接点部１２ｂと接触し、第二スイッチ１２がオン状態となる（図３）。そして、第二操作釦６のキートップ６ａが第一操作釦５のキートップ５ａが位置する面Ｌ0 に到達したとき、第二操作釦６の底面６ｄが取り付け台３の上面に当接し、停止する（図４）。この停止状態までの第二操作釦６の移動量を第二の所定量とする。その後、さらに、指１９で内部の第一操作釦５をも押圧して、押し切った位置まで移動すると、第一スイッチ１１が押圧されてオン状態になる（図５）。この第一操作釦５の移動量を第一の所定量とする。上記釦押圧後、第一操作釦５，第二操作釦６を解放すると、該操作釦は、それぞれゴムシート７の弾性変形部７ａ、および、付勢バネ８のの付勢力によって図１に示す解放位置（無操作時の位置）に戻され、第一，第二スイッチ１１，１２がそれぞれオフ状態となる。
【００２０】
上述したようにスイッチ装置１においては、指１９の腹で正常に押圧操作した場合には、上述の操作過程を辿って第二スイッチ１２に続いて、第一スイッチ１１がオンされる。後述する電源処理等により上述の２段階のオン状態を検出することによって電子機器側の制御部であるＣＰＵ１３（図６）は、スイッチ装置１の正常な押圧操作がなされたと判断してスイッチ装置１の入力信号を正常な入力として取り込む。しかし、指１９以外の外部物（バッグなどの入れものや障害物）でスイッチ装置１が押圧された場合、第二操作釦６のみが押圧されて第二スイッチ１２がオンとなるが、内側の第一操作釦５は押圧されず、第一スイッチ１１がオンとならないのでＣＰＵ１３は、スイッチ装置１の正常な入力があったとは判断せず、誤操作入力がなされない。同様に突起状の障害物で第一操作釦５が先に押圧された場合もＣＰＵ１３は、スイッチ装置１の正常な入力があったと判断しない。
【００２１】
次に、上述したスイッチ装置１が組み込まれた電子機器の電気回路要部と電源処理について、図６，７を用いて説明する。  
図６は、スイッチ装置１が組み込まれる電子機器の要部電気回路図である。図７は、上記電子機器における電源処理のフローチャートである。
【００２２】
上記電気回路部は、図６に示すようにこの電気機器の制御を司るＣＰＵ１３と、駆動電源部である電池１４と、電源スイッチを構成するスイッチ装置１としての第一スイッチ１１と、第二スイッチ１２と、図示しない他の電気制御要素群とを有している。第一スイッチ１１と第二スイッチ１２とは、並列の状態でＣＰＵ１３に接続されている。
【００２３】
上記電気回路の電源オン処理を行う電源処理は、ＣＰＵ１３の制御のもとで図７のフローチャートに従って実行される。すなわち、スイッチ装置１の第二スイッチ１２のオンが検出されると、割り込みポートでＣＰＵ１３が強制的に立ち上げられ、上記電源処理が呼び出される。ステップＳ０１にて電源オン処理のための準備（初期化）が実行される。ステップＳ０２にてタイマ計時が開始される。ステップＳ０３で第一スイッチ１１がオンされたかをチェックし、オンされない場合は、ステップＳ０５にて上記タイマ計時が所定時間を経過
したかを確認する。経過していない場合は、ステップＳ０３に戻るが、経過した場合は、ステップＳ０６にジャンプしてＣＰＵ１３を停止状態とする。
【００２４】
なお、上記タイマの計時時間は、極めて短い時間でよい。つまり、一時期だけ電源は、ＣＰＵを立ち上げるが、その時間は短い時間であり、省エネルギのため、再びＣＰＵは、停止状態に陥る。例えば、１秒間などでよい。これは、操作者が第二スイッチ１２，第一スイッチ１１を両方を同時に確実に押すために必要な時間さえ確保されればよいからである。但し、第二スイッチ１２のオンのみでこの仮の電源立ち上げ（仮のＣＰＵ立ち上げ）が行われた場合は、電子機器の外見上は、すべてオフとする。例えば、表示画面，ＬＣＤ表示は、オフのままとする。
【００２５】
ステップＳ０３にて第一スイッチ１１がオンされたことが検出された場合、ステップＳ０４に進み、上記準備処理に続いて電源オン処理を実行し、上記各制御要素に電力を供給し、上記電子機器を駆動状態とする。
【００２６】
図６の回路構成における図７の電源処理によれば、誤操作による電源オンが防止されるとともに、第二スイッチ１２のオンによって電源オンの準備がなされることから、第一スイッチ１１のオン後の電源オン状態までの所要時間が短縮される。
【００２７】
なお、図７の電源処理では、第二スイッチ１２のオンの後に第一スイッチ１１がオンされて電源が入ることなるが、そのスイッチオンの順序に関わりなく双方のスイッチが共にオンとなったとき電源が入るような回路構成の変形例も可能である。
【００２８】
図８は、上記変形例の電子機器の要部電気回路図を示しており、第一スイッチ１１と第二スイッチ１２とを直列接続状態としてＣＰＵ１５に接続される。この変形例においては、第二スイッチ１２，第一スイッチ１１のオンの順序とは無関係に双方のスイッチが共にオンとなったとき、電源が入ることになる。
【００２９】
上述した本実施形態のスイッチ装置１によれば、第一操作釦５が第二操作釦６の内周部に配置され、かつ、釦解放状態にあるとき第一操作釦５のキートップ５ａより第二操作釦６のキートップ６ａが押し込み可能寸法だけ高く配置されている。従って、指１９以外の異物でスイッチ装置１が押圧された場合には、第二操作釦６は押圧されても第一操作釦５は押圧されない。そのような釦押圧状態ではスイッチ装置１の正常なオン操作でないと制御部のＣＰＵ１３で識別される。
【００３０】
また、第二操作釦６が第一操作釦５の近傍、すなわち、第一操作釦５の外周部に円環状釦として配され、外装カバー２の径Ｄ0 の範囲内に双方の操作釦が配され、１本の指１９で同時に操作することができる。言い換えれば、一箇所を操作する動作で双方の操作釦を同時に操作できる。したがって、操作のために指１９を移動させる必要がなく、操作が容易である。また、第一操作釦５と第二操作釦６とが径Ｄ0 の範囲内に配置することができることから、配置スペ−スが狭く、電子機器の小型化に寄与できる。
【００３１】
なお、第一操作釦５と第二操作釦６とは、本実施形態では、同心円上に配置されているがこれに限らず、互いに隣接した場所に配置するように構成しても同様の効果が得られる。さらに、円形、または、円環状のキートップに限らず楕円形状や四角形形状のキートップの操作釦とすることも可能である。
【００３２】
また、本実装形態では第一操作釦５と第二操作釦６との操作感覚の違いを与えることによってスイッチ装置１を誤操作することなくオンオフさせることができる。すなわち、第一操作釦５と第二操作釦６との第一，第二の所定量の操作ストロ−クを使用状況を考慮してそれぞれ適切なストロ−クを設定すれば、より使い勝手のよいスイッチ装置が得られる。例えば、第二操作釦６のオンまでのストロ−クを０．３ｍｍとし、第一操作釦５のオンまでのストロ−クを１ｍｍとして、双方の操作釦の操作感の差がはっきりさせることで、間違いのない操作が可能となる。
【００３３】
また、一方の第二操作釦６の操作力は接片を当接させるだけの操作力であり、他方の第一操作釦５の操作力は、クリックスイッチをオンさせるクリック力であることから両者の操作感に明らかな相違があり、使用者は、その操作感の違いを認識しながら確実なスイッチ操作を行うことができる。さらに、第一操作釦５は、ゴムシート７の付勢力を受け、第二操作釦６は、コイルバネからなる付勢力を受けることからも両者の操作感が異なり、確実なスイッチ操作が可能となる。
【００３４】
さらには、第一操作釦５と第二操作釦６との大きく操作力量を異ならせ、第二操作釦６を押し込み後、さらに強く第一操作釦５を押圧するようにして上記２つの操作釦の操作感に明らかな相違を持たせることも可能である。また、両操作釦の付勢部材として、剛性の異なる板バネや硬度の異なるゴム部材を適用することによっても操作感の違いを出すことが可能である。
【００３５】
第一操作釦５と第二操作釦６とを異なる材料で形成して双方の操作感の違いを出すことも可能である。例えば、第一操作釦側を硬質ゴムで形成し、第二操作釦側をモールド部品とすれば、該釦に触ったときの感触の違いによって操作釦を確実に識別することが可能となる。また、いずれかの操作釦を亜鉛ダイキャストによる金属部品とし、操作感の違いを出すことも可能である。
【００３６】
次に、本発明の第二の実施形態の電子機器のスイッチ装置について図９，１０を用いて説明する。  
図９は、本実施形態のスイッチ装置の縦断面図であり（図１０のＥ−Ｅ断面）、操作釦解放状態を示す。図１０は、図９のＣ矢視図である。
【００３７】
本実施形態のスイッチ装置２１は、第一の実施形態のスイッチ装置１に対して操作釦の形状が異なっており、他の構成は同様である。以下、異なる点について説明する。なお、同様の構成部材については、同一の符号を適用する。
【００３８】
スイッチ装置２１を構成する第二操作釦２６のキートップ２６ａは、図１０に示すように円周方向で３つに分割された凸部で形成されている。その３分割されたキートップ２６ａの内周部２６ｃに第一操作釦５のキートップ５ａが摺動自在に嵌入している。キートップ２６ａ，５ａともに使用者の指１９の腹の範囲内に位置するものとする。
【００３９】
スイッチ装置２１の外装カバー２２は、第二操作釦２６の３つのキートップ２６ａと第一操作釦５の外周の一部を摺動自在に支持する開口部２２ａを有している。
【００４０】
第一操作釦５と第二操作釦２６のそれぞれの解放状態および押し込み状態での位置関係は、第一の実施形態のスイッチ装置１と同様であって、第一操作釦５の解放状態でキートップ５ａの上面は、外装カバー２の表面より外方の面Ｌ0 の位置にある。第二操作釦２６の解放状態ではそのキートップ２６ａは、面Ｌ0 の位置より僅かに上方に位置する。第二操作釦２６が押圧され、第二スイッチ１２のオン後、キートップ２６ａが面Ｌ0 に到達したとき、底面２６ｄが取り付け台３の上面に当接し、第二操作釦２６はそれ以上移動しない。
【００４１】
スイッチ装置２１の押圧操作によるスイッチオン状態の変化も第一実施形態の場合と同様である。なお、第二スイッチ１２は、図１０では、周方向１箇所のみが示されているが、これは、キートップ２６ａの位置に対応させて周方向３方向に配置した方が好ましく、第二操作釦２６が傾いて押圧されたとしても確実に第二スイッチ１２をオンさせることができる。
【００４２】
本実施形態のスイッチ装置２１によれば、第二操作釦２６のキートップ２６ａが周方向に３つに分割して形成されていることから第二操作釦２６の操作を第一操作釦５の操作とを明らかに識別した状態で行うことができ、スイッチ装置２１による入力がより確実に行われる。その他の効果は、第一実施形態の場合と同様である。また、各種変形例についても第一実施形態の場合と同様な変形例が適用可能である。
【００４３】
次に、本発明の第三の実施形態の電子機器のスイッチ装置について図１１，１２を用いて説明する。  
図１１は、本実施形態のスイッチ装置の縦断面図であり（図１２のＧ−Ｇ断面）、操作釦解放状態を示す。図１２は、図１１のＦ矢視図である。
【００４４】
本実施形態のスイッチ装置４１は、第一の実施形態のスイッチ装置１に対して第二操作釦を上方に付勢する付勢手段が異なっており、他の構成は同様である。以下、異なる点について説明する。なお、同様の構成部材については、同一の符号を適用する。
【００４５】
スイッチ装置４１を構成する第二操作釦６を上方に付勢する付勢部材として厚み方向に弾性変形可能なリング状のゴム部材４８を使用する。ゴム部材４８は、取り付け台３の上面に固着されて配され、ゴム部材４８の上面に第二操作釦６の底面が当接している。
【００４６】
本実施形態における第一操作釦５と第二操作釦６のそれぞれの解放状態および押し込み状態での位置関係は、第一の実施形態のスイッチ装置１と略同様であるが、本スイッチ装置４１を押圧操作する際、第一操作釦５に先立って第二操作釦６は、ゴム部材４８の付勢力に対抗して押圧操作される。そして、第二操作釦６のキートップ６ａが第一操作釦５のキートップ５ａが位置する面Ｌ0 に到達したとき、ゴム部材４８が略押し切った状態となり、第二操作釦６は、それぞれ以上移動しない。第二スイッチ１２は、その移動停止直前にオンとなる。
【００４７】
本実施形態のスイッチ装置４１によれば、コイルバネからなる付勢バネ８に代えてゴム部材４８を適用することによって第二操作釦６の操作感が第一の実施形態の場合と異なっており、操作しやすく、押し込み過ぎも確実に防止できる。また、ゴム部材４８の配置スペ−スは少なくなり、装置の小型化が可能になる。
【００４８】
上述した各実施形態のスイッチ装置は、電源スイッチオン用に限らず、電源スイッチオフ用としても適用可能である。さらに、電源スイッチ以外でもモード切り替えスイッチとして適用可能である。例えば、デジタルカメラにおけるモード切り替えスイッチ装置として適用した場合、カメラが撮影モードにあるとき、第二操作釦を操作すると、クイックビューモードに切り替わり、該第二操作釦をもう一度操作すると撮影モードに戻され、第一操作釦を操作すると、再生モードに移行するか、あるいは、電源をオフさせる。
【００４９】
一方、カメラが再生モードにあるとき、第二操作釦を操作すると、補助機能として撮影情報表示を行わせる。また、第一操作釦を操作すると撮影モードに移行するか、あるいは、電源をオフとするなどの利用方法も可能である。また、上記スイッチ装置の第二操作釦をシフトキーとして機能させることも可能である。
【産業上の利用可能性】
【００５０】
本発明の電子機器のスイッチ装置は、外面上での狭い範囲で操作が可能であり、誤操作の可能性も少ないスイッチ装置として利用が可能である。
【図面の簡単な説明】
【００５１】
【図１】本発明の第一の実施形態である電子機器のスイッチ装置の縦断面図（図２のＢ−Ｂ断面）であり、操作釦解放状態を示す。
【図２】図１のＡ矢視図である。
【図３】図１のスイッチ装置の操作釦の押圧初期状態（第二スイッチオン）における縦断面図（図２のＢ−Ｂ断面）である。
【図４】上記スイッチ装置の操作釦の押圧状態（第二操作釦押し切り）における縦断面図（図２のＢ−Ｂ断面）である。
【図５】上記スイッチ装置の操作釦の押圧状態（第一スイッチオン）における縦断面図（図２のＢ−Ｂ断面）である。
【図６】図１のスイッチ装置が組み込まれた電子機器の要部電気回路図である。
【図７】図１のスイッチ装置が組み込んだ電子機器における電源処理のフローチャートである。
【図８】図１のスイッチ装置を組み込んだ電子機器の変形例の要部電気回路図である。
【図９】本発明の第二の実施形態のスイッチ装置の縦断面図であり（図１０のＥ−Ｅ断面）、操作釦解放状態を示す。
【図１０】図９のＣ矢視図である。
【図１１】本発明の第三の実施形態のスイッチ装置の縦断面図であり（図１２のＧ−Ｇ断面）、操作釦解放状態を示す。
【図１２】図１１のＦ矢視図である。
【符号の説明】
【００５２】
５  …第一操作釦（電源スイッチ釦）
５ａ…第一操作釦のキートップ
６，２６…第二操作釦
６ａ，２６ａ…第一操作釦のキートップ
１１  …第一スイッチ
１２  …第二スイッチ
代理人      弁理士    伊  藤    進
【図１】
2005332780.tif 000003
【図２】
2005332780.tif 000004
【図３】
2005332780.tif 000005
【図４】
2005332780.tif 000006
【図５】
2005332780.tif 000007
【図６】
2005332780.tif 000008
【図７】
2005332780.tif 000009
【図８】
2005332780.tif 000010
【図９】
2005332780.tif 000011
【図１０】
2005332780.tif 000012
【図１１】
2005332780.tif 000013
【図１２】
2005332780.tif 000014